(57)【要約】【課題】簡単に様々なデザインの電子機器に使用できる情報表示紙を作成できる電子機器用情報表示紙の作成方法を提供する。【解決手段】サーバ１には、多種多様なボタン配置の電話機に対応できるよう、電話機用の様々なレイアウトや絵柄などの表示情報を有する構成とされた電子データが記録されている。電話機用の情報表示紙を作成しようとする者は、パーソナルコンピュータ２を使用して、インターネット４を介してサーバ１にアクセスして、サーバ１に記録された電子データをダウンロードする。印刷用紙は、電話機の回線ボタンに対応する位置に形成された貫通孔と、印刷領域とを有する紙を使用する。次に、ダウンロードした電子データに、パーソナルコンピュータ２によって文字や画像を入力する。そして、電子データをパーソナルコンピュータ２からプリンタ３に送信して、印刷用紙の印刷領域に印刷する。【選択図】図１
2011223329.tif 000002
【特許請求の範囲】
【請求項１】
印刷用紙に印刷可能に設定されると共に電子機器用の表示情報を有する構成とされた電子データをダウンロードするダウンロード工程と、
該ダウンロード工程においてダウンロードした前記電子データを前記印刷用紙に印刷する印刷工程とを備える
電子機器用情報表示紙の作成方法。
【請求項２】
前記印刷用紙として、電子機器のボタンに対応する位置に形成された貫通孔と、印刷領域とを有する印刷用紙を用い、
前記印刷工程において、前記電子データを前記印刷用紙の前記印刷領域に印刷する
請求項１に記載の電子機器用情報表示紙の作成方法。
【請求項３】
前記ダウンロード工程においてダウンロードした前記電子データに、文字を入力する文字入力工程を備える
請求項１または請求項２に記載の電子機器用情報表示紙の作成方法。
【請求項４】
前記ダウンロード工程においてダウンロードした前記電子データに、画像を入力する画像入力工程を備える
請求項１〜３のいずれか１つに記載の電子機器用情報表示紙の作成方法。
【発明の詳細な説明】
【技術分野】
【０００１】
本発明は電子機器用情報表示紙の作成方法に関する。詳しくは、電話機などの電子機器に取付けられて電話機のボタンの番号や機能を表示するいわゆる示名紙を作成する電子機器用情報表示紙の作成方法に係るものである。
【背景技術】
【０００２】
会社等で利用する業務用電話機は、家庭用電話機と比較して多機能である場合が多く、電話機が多機能になると、こうした機能を活用するためにボタンの数も増えてくる。そして、ボタンの数が増えると、各ボタンがどのような機能であるかを表示する必要性が生じ、こうした必要性に対応した表示をするために、文字などが書き込まれた「示名紙」と呼ばれる情報表示紙が使用されている。
【０００３】
例えば、特許文献１には、図３に示すような電話機が記載されており、具体的には、筐体１０１の上面に発信用の数字ボタン１０２と、回線ボタン１０３Ａ、１０３Ｂと、機能ボタン１０４Ａ、１０４Ｂと、筐体１０１の上面に形成された凹部１０６とを備える電話機が記載されている。
【０００４】
そして、特許文献１に記載の電話機の凹部１０６には、示名紙１０７が装着されており、示名紙の上には板状の透明カバー１０８が装着されている。
【０００５】
ここで、業務用電話機の多くは、電話をかける頻度が高い相手先の電話番号を電話機に記憶させ、電話機の回線ボタン１０３Ａや１０３Ｂを押すことで登録された電話番号に電話がかかる様に設定を行っている。その場合には、示名紙１０７に回線ボタン１０３Ａや１０３Ｂを押すことで電話がかかる相手先の名前（企業名、個人名等）を表示することで、電話機の使用者は登録した相手先の情報を把握することとなる。
【先行技術文献】
【特許文献】
【０００６】
【特許文献１】実開平６−７３４４号公報
【発明の概要】
【発明が解決しようとする課題】
【０００７】
ところで、電話機の各ボタンの機能が変更になった場合には示名紙の表示も変更する必要があり、例えば、電話がかかる相手先が変更となった場合には当然に示名紙の表示をも変更する必要がある。
【０００８】
例えば、人事異動等で電話機の使用者が変更となった場合には、登録する相手先の電話番号が大幅に変更になることが考えられ、こうした場合には、示名紙の表示は全面的に修正する必要が生じることは経験則からも明らかである。
【０００９】
しかしながら、示名紙の表示は、（１）手書きで示名紙に必要な文字等を記入する、（２）文字等が刻印されたラベル（テープ）を示名紙に貼り付ける、等で行っていることから、見栄えが悪く、また、示名紙の表示の修正も困難であった。
【００１０】
また、電話機は、電話機開発会社によってデザインが異なり、また、同じ電話機開発会社の電話機でもデザインが異なるというように、多種多様な電話機が存在しており、使用者が見栄えの良い示名紙を作成して、それを使い続けたいと思っても、電話機を買い換えるごとに、一から示名紙を作成し直さなければならず、大きな負担となっていた。
【００１１】
本発明は、以上の点に鑑みて創案されたものであり、簡単に様々なデザインの電子機器に使用できる情報表示紙を作成できる電子機器用情報表示紙の作成方法を提供することを目的とする。
【課題を解決するための手段】
【００１２】
上記の目的を達成するために、本発明の電子機器用情報表示紙の作成方法は、印刷用紙に印刷可能に設定されると共に電子機器用の表示情報を有する構成とされた電子データをダウンロードするダウンロード工程と、該ダウンロード工程においてダウンロードした前記電子データを前記印刷用紙に印刷する印刷工程とを備える。
【００１３】
ここで、印刷用紙に印刷可能に設定されると共に電子機器用の表示情報を有する構成とされた電子データをダウンロードするダウンロード工程によって、様々なレイアウトなどの表示情報を有する構成とされた電子データが記録されたサーバにアクセスして、このような電子データを、印刷の為にダウンロードすることができる。
【００１４】
また、本発明の電子機器用情報表示紙の作成方法では、印刷用紙として、電子機器のボタンに対応する位置に形成された貫通孔と、印刷領域とを有する印刷用紙を用い、印刷工程において、電子データを印刷用紙の印刷領域に印刷することにしてもよい。
【００１５】
この場合、印刷後にボタン用の穴を切取る作業を省略できるので、作成時間を短縮することができる。
【００１６】
さらに、本発明の電子機器用情報表示紙の作成方法は、ダウンロード工程においてダウンロードした電子データに、文字を入力する文字入力工程を備えることにしてもよい。
また、本発明の電子機器用情報表示紙の作成方法は、ダウンロード工程においてダウンロードした前記電子データに、画像を入力する画像入力工程を備えることにしてもよい。
【００１７】
これらの場合、電子機器用情報表示紙の作成の自由度を向上させることができる。
【発明の効果】
【００１８】
本発明に係る電子機器用情報表示紙の作成方法は、簡単に様々なデザインの電子機器に使用できる情報表示紙を作成できる。
【図面の簡単な説明】
【００１９】
【図１】本発明の電子機器用情報表示紙の作成方法を実施する上での構成例を示す概略図である。
【図２】本発明の電子機器用情報表示紙の作成方法で印刷された電話機用情報表示紙の一例を示す概略図である。
【図３】従来の示名紙が装着された電話機を示す概略図である。
【発明を実施するための形態】
【００２０】
以下、本発明の実施の形態について図面を参照しながら説明し、本発明の理解に供する。
図１は、本発明の電子機器用情報表示紙の作成方法を実施する上での構成例を示す概略図である。
【００２１】
サーバ１には、多種多様なボタン配置の電話機（電子機器の一例である。）に対応できるよう、電話機用の様々なレイアウトや絵柄などの表示情報を有する構成とされた電子データが記録されている。
【００２２】
電話機用の情報表示紙を作成しようとする者（作成者）は、パーソナルコンピュータ（以下、「ＰＣ」とする。）２を使用して、インターネット４を介してサーバ１にアクセスして、サーバ１に記録された電子データをダウンロードする（ダウンロード工程）。具体的には例えば、サーバ１が提供する専用ウェブサイトにアクセスして、印刷用紙に印刷可能に設定されると共にサーバ１に記録された電子データをダウンロードする。
【００２３】
また、印刷用紙は、電話機の回線ボタンに対応する位置に形成された貫通孔と、印刷領域とを有する紙を使用する。
【００２４】
また、電子データは、各電話機開発会社の電話機に対応する様々なレイアウトを有するので、作成者は、その中から、所望のレイアウトを有する電子データを選択してダウンロードする。
【００２５】
次に、ダウンロードした電子データに、ＰＣ２によって文字や画像を入力する（文字入力工程および画像入力工程）。具体的には例えば、印刷用紙に印刷されるべき状態がＰＣ２の画面上に表示され、作成者は、キーボードやマウスを使って、適切な箇所に文字や画像を入力していく。
【００２６】
例えば、会社で使用する電話機用の情報表示紙の場合は、「広報」、「営業」、「企画」、「経理」、「総務」および「人事」という部署名を、回線ボタンに対応する番号の横に入力する。なお、回線ボタンに対応する番号や、貫通孔付近に印刷される番号（回線ボタン番号）は、予め電子データ内に表示情報として含まれているが、これらの番号も入力するよう設定してもよい。
【００２７】
また、貫通孔に対応する領域の周囲に、色彩画像を挿入して、貫通孔に対応する領域の周囲を着色する。
ここで、予めＰＣ２内に記録されていた画像を入力することもできるし、サーバ１に記録された画像をダウンロードして入力することもできる。
【００２８】
また、電子データのレイアウトにおける、印刷用紙の貫通孔に対応する位置には、文字や画像が入力できないよう設定されていてもよいし、また、貫通孔である旨が表示されるよう設定されていてもよい。
【００２９】
そして、電子データをＰＣ２からプリンタ３に送信して、印刷用紙の印刷領域に印刷する（印刷工程）。印刷された電話機用情報表示紙の一例を図２に示す。
【００３０】
図２は、Ａ４サイズの印刷用紙７に、同じレイアウトの電話機用情報表示紙５が４つ印刷された例である。また、切取り線であることが判るように、電話機用情報表示紙５の外形線として、破線が印刷されている。
【００３１】
最後に、電話機用情報表示紙５の外形線である破線に沿って、電話機用情報表示紙５を印刷用紙７から切り離し、電話機に使用する。
【００３２】
ここで、Ａ４サイズの印刷用紙を使用した例を挙げたが、必ずしもＡ４サイズでなくてもよく、例えばＡ３サイズやＢ５サイズの印刷用紙を使用することもできる。
また、１枚の印刷用紙に４つの電話機用情報表示紙を印刷した例を挙げたが、必ずしも４つでなくてもよく、例えば６つの電話機用情報表示紙を１枚の印刷用紙に印刷してもよいし、１つの電話機用情報表示紙を１枚の印刷用紙に印刷してもよい。
【００３３】
また、本発明の方法が、印刷用紙に印刷可能に設定されると共に電子機器用の表示情報を有する構成とされた電子データをダウンロードするダウンロード工程と、ダウンロード工程においてダウンロードした電子データを印刷用紙に印刷する印刷工程を備えていれば、必ずしも文字入力工程や画像入力工程を備えていなくてもよい。
【００３４】
しかし、本発明の方法が、文字入力工程や画像入力工程を備えていれば、電子機器用情報表示紙の作成の自由度を向上させることができ、好ましい。
【００３５】
また、本発明の方法が、印刷用紙に印刷可能に設定されると共に電子機器用の表示情報を有する構成とされた電子データをダウンロードするダウンロード工程と、ダウンロード工程においてダウンロードした電子データを印刷用紙に印刷する印刷工程を備えていれば、必ずしも電話機のボタンに対応する位置に形成された貫通孔を有する印刷用紙を使用しなくてもよい。
【００３６】
しかし、電話機のボタンに対応する位置に形成された貫通孔を有する印刷用紙を使用すれば、印刷後にボタン用の穴を切取る作業を省略できるので、作成時間を短縮することができ、好ましい。
【００３７】
以上のように、本発明の電子機器用情報表示紙の作成方法は、印刷用紙に印刷可能に設定されると共に電話機用の表示情報を有する構成とされた電子データをダウンロードするダウンロード工程を備えるので、様々なレイアウトなどの表示情報を有する構成とされた電子データが記録されたサーバにアクセスして、このような電子データを、印刷の為にダウンロードすることができる。
【００３８】
よって、簡単に様々なデザインの電子機器に使用できる情報表示紙を作成できる。
【００３９】
また、電話機の回線ボタンに対応する位置に形成された貫通孔と、印刷領域を有する印刷用紙を用い、印刷領域に電子データを印刷するので、印刷後にボタン用の穴を切取る作業を省略できるので、作成時間を短縮することができる。
【００４０】
また、ダウンロードした電子データに文字や画像を入力できるので、好みの背景画像などを有する情報表示紙を作成でき、情報表示紙作成の自由度も高まる。
【符号の説明】
【００４１】
１    サーバ
２    パーソナルコンピュータ
３    プリンタ
４    インターネット
５    電話機用情報表示紙
６    貫通孔
７    印刷用紙
【図１】
2011223329.tif 000003
【図２】
2011223329.tif 000004
【図３】
2011223329.tif 000005